(57)【特許請求の範囲】
【請求項１】
無線システムにおける電力制御方法であって、無線システムのネットワーク部分と、そのネットワーク部分のカバレージエリア内に位置するターミナルとの間の無線送信をフレームにおいて送信し(202-204)、そのフレームにより決定されたタイムスロットから１つのターミナルへ少なくとも２つのタイムスロットにおいてダウンリンク送信電力を割り当てるような方法において、
各タイムスロットにおける上記ターミナルへの無線送信の送信電力と、他のターミナルへの送信によって生じる干渉電力との電力比が、タイムスロットにおける電力比について設定されたスレッシュホールド値を越えるように、上記ターミナルへの送信の送信電力をタイムスロット特有に発生する段階(208-212)を備えたことを特徴とする方法。
【請求項２】
上記ネットワーク部分は、１つ以上のベースステーション、１つ以上のベースステーションコントローラ、の１つ以上を含む請求項１に記載の方法。
【請求項３】
電力比について設定された上記スレッシュホールド値は、タイムスロットにおいて送信されるべきサービスに基づいて決定される請求項１に記載の方法。
【請求項４】
電力比について設定された上記スレッシュホールド値は、ターミナルのサービスクラスに基づいて決定される請求項１に記載の方法。
【請求項５】
ターミナルにおいてターミナルに向けられた送信の信号強度とタイムスロットの干渉信号強度とを、送信電力がターミナルに割り当てられるタイムスロットで測定し、
ターミナルにおいて信号強度と干渉信号強度との信号対干渉比を形成し、
ターミナルにおいて信号対干渉比をプリセットされたスレッシュホールド値と比較し、そして信号対干渉比がスレッシュホールド値に少なくとも等しい場合には、電力調整コマンドをターミナルからネットワーク部分へ送信し、そして
送信電力がターミナルに割り当てられた次のフレームの全タイムスロットにおいて上記電力調整コマンドに基づき上記ネットワーク部分でターミナルに向けられた送信の送信電力を調整する、
という段階を更に含む請求項１に記載の方法。
【請求項６】
どのタイムスロットで信号対干渉比を測定すべきか指示する情報をネットワーク部分からターミナルへ送信する請求項５に記載の方法。
【請求項７】
上記無線システムは、コード分割多重アクセス方法（ＣＤＭＡ）を使用する無線システムであり、タイムスロットにおける種々のターミナルの送信は、ターミナルに割り当てられた個々の拡散コードに基づいて分離される請求項１に記載の方法。
【請求項８】
アップリンク及びダウンリンク送信方向は、時分割デュープレックス（ＴＤＤ）を使用する無線システムにおいて互いに分離される請求項１に記載の方法。
【請求項９】
信号対干渉比（ＳＩＲ）の測定レポートを、送信電力がターミナルに割り当てられた全てのタイムスロットに関して、ターミナルからネットワーク部分へ送信し、そして
ターミナルから受信された測定レポートをネットワーク部分で使用して、ターミナルに向けて次に送信されるべきフレームの送信の送信電力を決定する、
という段階を更に含む請求項１に記載の方法。
【請求項１０】
無線システムのネットワーク部分(100A-100D)であって、このネットワーク部分のカバレージエリアに位置するターミナル(102A-102F)へフレーム(300)において無線トラフィックを送信するように構成され、そして上記フレーム(300)により決定されたタイムスロットから所与のターミナル(102A)へ少なくとも２つのタイムスロット(302A-302D)においてダウンリンク送信電力を割り当てるように構成されたネットワーク部分(100A-100D)において、
各タイムスロット(302A-302D)におけるターミナル(102A-102F)への無線送信の送信電力と、他のターミナル(102A-102F)への送信によって生じる干渉電力との電力比が、タイムスロット(302A-302D)における電力比についてプリセットされたスレッシュホールド値を越えるように、上記ターミナル(102A-102F)への送信の送信電力をタイムスロット特有に発生するよう構成されたことを特徴とするネットワーク部分(100A-100D)。
【請求項１１】
上記ネットワーク部分は、１つ以上のベースステーション、１つ以上のベースステーションコントローラ、の１つ以上を含む請求項１０に記載のネットワーク部分。
【請求項１２】
上記ネットワーク部分は、電力比について設定された上記スレッシュホールド値を、タイムスロットにおいて送信されるべきサービスに基づいて決定するように構成される請求項１０に記載のネットワーク部分。
【請求項１３】
上記ネットワーク部分は、電力比について設定された上記スレッシュホールド値を、ターミナルのサービスクラスに基づいて決定するように構成される請求項１０に記載のネットワーク部分。
【請求項１４】
上記ネットワーク部分は、送信電力がターミナルに割り当てられた１つのタイムスロットに関連した電力調整コマンドをターミナルから受け取るように構成され、そして
上記ネットワーク部分は、その電力調整コマンドを使用して、ターミナルへ向けられる送信の送信電力を、その送信電力がターミナルに割り当てられる次のフレームの全タイムスロットにおいて調整するように構成された請求項１０に記載のネットワーク部分。
【請求項１５】
上記ネットワーク部分は、電力比が測定されるフレームのタイムスロットに関してターミナルへ情報を送信するように構成される請求項１４に記載のネットワーク部分。
【請求項１６】
上記無線システムは、コード分割多重アクセス方法を使用する無線システムであり、タイムスロットにおける種々のターミナルの送信が、ターミナルに割り当てられた個々の拡散コードに基づいて分離される請求項１０に記載のネットワーク部分。
【請求項１７】
上記アップリンク及びダウンリンク送信方向は、時分割デュープレックス（ＴＤＤ）を使用する無線システムにおいて互いに分離される請求項１０に記載のネットワーク部分。
【請求項１８】
上記ネットワーク部分は、信号対干渉比（ＳＩＲ）の測定レポートを、送信電力がターミナルに割り当てられた全てのタイムスロットに関して、ターミナルから受け取るように構成され、そして
上記ネットワーク部分は、ターミナルから受け取った測定レポートを使用して、ターミナルに向けて次に送信されるべきフレームの送信の送信電力を決定するよう構成された請求項１０に記載のネットワーク部分。
【請求項１９】
ネットワーク部分(100A-100D)と、このネットワーク部分に無線接続された１つ以上のターミナル(102A-102F)とを備えた無線システムであって、これらネットワーク部分(100A-100D)とターミナル(102A-102F)との間の無線接続を経ての無線トラフィックがフレーム(300)において送信され、ネットワーク部分(100A-100D)は、上記フレーム(300)により決定されたタイムスロット(302A-302D)から、所与のターミナル(102A-102F)へ少なくとも２つのタイムスロット(302A-302D)においてダウンリンク送信電力を割り当てるように構成された無線システムにおいて、
上記ネットワーク部分(100A-100D)は、各タイムスロット(302A-302D)におけるターミナル(102A-102F)への無線送信の送信電力と、他のターミナル(102A-102F)への送信によって生じる干渉電力との電力比が、タイムスロット(302A-302D)における電力比についてプリセットされたスレッシュホールド値を越えるように、上記ターミナル(102A-102F)への送信の送信電力をタイムスロット特有に発生するよう構成されたことを特徴とする無線システム。
【請求項２０】
上記ネットワーク部分は、１つ以上のベースステーション、１つ以上のベースステーションコントローラ、の１つ以上を含む請求項１９に記載の無線システム。
【請求項２１】
上記ネットワーク部分は、電力比について設定された上記スレッシュホールド値を、タイムスロットにおいて送信されるべきサービスに基づいて決定するように構成される請求項１９に記載の無線システム。
【請求項２２】
上記ネットワーク部分は、電力比について設定された上記スレッシュホールド値を、ターミナルのサービスクラスに基づいて決定するように構成される請求項１９に記載の無線システム。
【請求項２３】
上記ターミナルは、送信電力がターミナルに割り当てられるタイムスロットにおいて、ターミナルに向けられた送信の信号強度とタイムスロットの干渉信号強度とを測定するように構成され、
上記ターミナルは、信号強度と干渉信号強度との信号対干渉比を形成するように構成され、
上記ターミナルは、その信号対干渉比をプリセットされたスレッシュホールド値と比較し、そしてその信号対干渉比がスレッシュホールド値に少なくとも等しい場合には、電力調整コマンドをネットワーク部分へ送信するように構成され、そして
上記ネットワーク部分は、送信電力がターミナルに割り当てられた次のフレームの全タイムスロットにおいて上記電力調整コマンドに基づき上記ターミナルに向けられる送信の送信電力を調整するように構成される請求項１９に記載の無線システム。
【請求項２４】
上記ネットワーク部分は、上記ターミナルへ情報を送信するように構成され、そして上記ターミナルは、どのタイムスロットで信号対干渉比を測定すべきか指示する情報をネットワーク部分から受け取るように構成される請求項２３に記載の無線システム。
【請求項２５】
上記無線システムは、コード分割多重アクセス方法を使用する無線システムであり、タイムスロットにおける種々のターミナルの送信が、ターミナルに割り当てられた個々の拡散コードに基づいて分離される請求項１９に記載の無線システム。
【請求項２６】
上記アップリンク及びダウンリンク送信方向は、時分割デュープレックス（ＴＤＤ）を使用する無線システムにおいて互いに分離される請求項１９に記載の無線システム。
【請求項２７】
上記ネットワーク部分は、信号対干渉比（ＳＩＲ）の測定レポートを、送信電力がターミナルに割り当てられたフレームの全タイムスロットに関して、ターミナルから受け取るように構成され、そして
上記ネットワーク部分は、ターミナルから受け取った測定レポートを使用して、ターミナルに向けて次に送信されるべきフレームの送信の送信電力を決定するよう構成された請求項１９に記載の無線システム。
【発明の詳細な説明】
【０００１】
【技術分野】
本発明は、無線システムに係り、より詳細には、無線システムのベースステーションと、ベースステーションのカバレージエリア内のターミナルとの間の無線送信における電力制御に係る。
【０００２】
【背景技術】
無線システムにおいて、電力制御とは、無線送信の送信電力を所与の変更範囲内で調整することを指す。電力制御は、無線システムのベースステーションのカバレージエリア内に位置するターミナルにより互いに生じた干渉を最小にしそしてターミナルにおける電力消費を最適化するために主として必要とされる。無線ネットワークのベースステーションと、ベースステーションのカバレージエリア内のターミナルの両送信電力を調整することができる。送信電力は、例えば、開ループ又は閉ループの原理に基づいて調整できる。例えば、コード分割多重アクセス（ＣＤＭＡ）を使用するＵＭＴＳ（ユニバーサル移動テレホニーシステム）セルラー無線システムでは、閉ループ方法がダウンリンクＴＤＤ（時分割デュープレックス）モードに使用され、これにより、ターミナルは、特殊な電力制御コマンド（送信電力制御ＴＣＰ）を使用して、受け取られる送信信号の電力を調整する必要性を通知する。この場合に、ターミナルは、例えば、その後続送信が、最近受け取った送信より１ｄＢ高い電力レベルをもたねばならないことをベースステーションに通知できる。ＵＭＴＳのアップリンクＴＤＤでは、開ループ電力制御原理が使用され、従って、受信器即ちターミナルは、ベースステーションがどの送信電力を使用して送信信号を送信したかを知り、そして受信電力を測定すると、無線経路における減衰を推定し、その後、受信電力に基づいて、リンクの相互作用を使用してその送信電力を調整することができる。
【０００３】
移動ネットワークのような無線ネットワークにおいて転送されるサービスは、無線送信の異なるクオリティ特性を要求する。例えば、スピーチ転送は、著しい帯域巾を必要としないが、送信の遅延特性に敏感である。一方、ビデオ映像は、大きな帯域巾を必要とするが、送信クオリティは、送信の遅延についてはスピーチほど厳密でない。例えば、ＵＭＴＳのＴＤＤモードでは、ユーザへデータ転送容量を送信フレームの多数のタイムスロットにおいて割り当てることにより帯域巾が割り当てられる。公知解決策では、ダウンリンク送信電力は、１つのフレーム内の全ユーザデータ転送リソースに対して同じである。
【０００４】
従って、公知技術には欠点があることが明らかである。ダウンリンク無線送信は、送信が全ユーザタイムスロットにおいて同じ送信電力を有するので、異なるクオリティ要求を考慮しない。又、公知技術は、ユーザの数もタイムスロットにおけるサービスの変化も考慮しない。
【０００５】
【発明の開示】
本発明の目的は、無線システムにおける改良された電力制御方法を提供することである。これは、以下に述べる無線システムにおける電力制御方法により達成される。この方法において、無線システムのネットワーク部分と、そのネットワーク部分のカバレージエリア内に位置するターミナルとの間の無線送信をフレームにおいて送信し、そのフレームにより決定されたタイムスロットからターミナルへ少なくとも２つのタイムスロットにおいてダウンリンク送信電力を割り当てる。この方法は、各タイムスロットにおけるターミナルへの無線送信の送信電力と、その送信によって他のターミナルに生じる干渉電力との電力比が、タイムスロットにおける電力比について設定されたスレッシュホールド値を越えるように、ターミナルへの送信の送信電力をタイムスロット特有に発生することを含む。
【０００６】
又、本発明は、無線システムのネットワーク部分であって、このネットワーク部分のカバレージエリアに位置するターミナルへフレームにおいて無線トラフィックを送信するように構成され、そして上記フレームにより決定されたタイムスロットから所与のターミナルへ少なくとも２つのタイムスロットにおいてダウンリンク送信電力を割り当てるように構成されたネットワーク部分にも係る。このネットワーク部分は、各タイムスロットにおけるターミナルへの無線送信の送信電力と、その送信によって他のターミナルに生じる干渉電力との電力比が、タイムスロットにおける電力比についてプリセットされたスレッシュホールド値を越えるように、ターミナルへの送信の送信電力をタイムスロット特有に発生するよう構成される。
【０００７】
又、本発明は、ネットワーク部分と、このネットワーク部分に無線接続された１つ以上のターミナルとを備えた無線システムであって、このネットワーク部分とターミナルとの間の無線接続を経ての無線トラフィックがフレームにおいて送信され、ネットワーク部分は、上記フレームにより決定されたタイムスロットから、所与のターミナルへ少なくとも２つのタイムスロットにおいてダウンリンク送信電力を割り当てるように構成された無線システムにも係る。上記ネットワーク部分は、各タイムスロットにおけるターミナルへの無線送信の送信電力と、その送信によって他のターミナルに生じる干渉電力との電力比が、タイムスロットにおける電力比についてプリセットされたスレッシュホールド値を越えるように、ターミナルへの送信の送信電力をタイムスロット特有に発生するよう構成される。
【０００８】
従って、本発明は、無線システムにおける電力制御方法及び装置に係る。本発明の説明において、無線システムとは、好ましくは移動ネットワークを指すが、本発明は、これに限定されるものではない。この方法において、無線システムのネットワーク部分及びネットワークのカバレージエリアに位置するターミナルのダウンリンク送信、即ちネットワーク部分からターミナルへの送信の送信電力が調整される。本発明の説明において、ネットワーク部分とは、１つ以上のベースステーション、及び／又はベースステーションを制御する１つ以上のベースステーションコントローラから形成されたエンティティを指す。ターミナルは、好ましくは、移動ステーションであるが、他の何らかの受信装置、及び／又は送信器の特性が設けられた装置、例えば、コンピュータや家庭用機器等でもよい。ＵＭＴＳに関連して、ターミナルとは、例えば、ＴＥ（ターミナル装置）及びＵＥ（ユーザ装置）の両機能を含む装置を指す。
【０００９】
本発明は、少なくとも２つのダウンリンクデータ転送リソースを時分割式に各ターミナルへ割り当てることのできる無線システムに係る。本発明は、好ましくは、コード分割多重アクセス（ＣＤＭＡ）及び時分割多重アクセス（ＴＤＭＡ）方法を使用するハイブリッドシステムである無線システムに係り、従って、データ転送リソースとは、タイムスロット及び拡散コードの組み合わせを指す。更に、本発明は、好ましくは、時分割デュープレックス（ＴＤＤ）を使用する無線システムにも適用されるが、これに限定されず、本発明は、ＴＤＭＡ型の特性を備えていれば、即ちリソースが時分割式即ち不連続的に割り当てられれば、周波数分割デュープレックス（ＦＤＤ）を使用する無線システムにも適用できる。
【００１０】
本発明の好ましい実施形態では、無線トラフィックがフレームにおいてターミナルへ送信され、このフレームにより決定されたタイムスロットから少なくとも２つのタイムスロットにおいてターミナルに送信電力が割り当てられる。送信の前に、接続のクオリティに対するスレッシュホールド値がベースステーションにおいてタイムスロット特有にそしてターミナル特有に発生される。クオリティは、例えば、タイムスロットにおいてユーザに向けられる送信の送信電力をＰwとし、そして上記タイムスロットにおいて他のユーザに向けられる送信の送信電力をＰiとすれば、電力比Ｐw／Ｐiとして決定される。この電力比について、例えば、スレッシュホールド値０．１０が設定され、従って、ターミナルに向けられる送信の電力Ｐwは、タイムスロットの全送信電力の１／１０となる。本発明の１つの実施形態では、スレッシュホールド値の設定は、タイムスロットにおいて送信されるべきサービスによって左右され、例えば、スレッシュホールド値は、データ送信の場合の方がビデオ映像より高くされる。本発明の好ましい実施形態では、ターミナルのサービスクラスがスレッシュホールド値の決定に影響する。この場合に、例えば、上位のサービスクラスに入れられることを望むターミナル加入者については、タイムスロットにおける送信電力に対して高いスレッシュホールド値が設定される。フレームが送信される前に、ベースステーションは、そのフレームに対してタイミング合わせされ即ちスケジュールされたトラフィックに基づいて、フレームの送信電力を等化させる。ベースステーションは、そのスケジュールされたトラフィックを使用して、ターミナルへの送信の送信電力を等化し、タイムスロットにおけるターミナルのスレッシュホールド値が満足されるようにする。この電力レベルスレッシュホールド値、及びスケジュールされたトラフィックの推定は、接続を要求する新たなターミナルにそれらが希望するサービスをオファーできるかどうか無線ネットワークが推定するときに重要なツールとなる。
【００１１】
本発明の好ましい実施形態では、ベースステーションは、送信電力を決定するために、スケジュールされたトラフィックの推定を使用するだけでなく、ターミナルから得た情報、例えば、電力制御コマンドや、接続のクオリティに関連した測定レポートも使用する。本発明の実施形態では、電力制御コマンドにより実施されるダウンリンクの閉電力制御ループは、送信電力がターミナルに割り当てられる１つのタイムスロットにおいてターミナルが信号対干渉比を測定し、そして電力を調整する必要があるときにベースステーションへのアップリンク送信において電力制御コマンドを送信することにより実施される。電力を調整する必要性は、ターミナルにおいて、例えば、信号対干渉比を、信号対干渉比のスレッシュホールド値と比較することにより決定でき、このスレッシュホールドは、例えば、接続の設定時にベースステーションから受け取られるか、又はターミナルにおいて発生される。本発明にとって重要なことは、１つのタイムスロットに関連されそしてターミナルから受け取られた電力制御コマンドをベースステーションにおいて使用して、送信電力がターミナルに割り当てられる全タイムスロットにおいて電力制御を行うことである。この場合に、１つの電力制御コマンドを使用して、異なるタイムスロットにおいて多数のダウンリンクリソースを取り扱うことができる。本発明の実施形態では、ターミナルにおいて測定が行われるタイムスロットは、送信電力がターミナルに割り当てられるフレームにおける最後のタイムスロットである。又、測定が行われるタイムスロットは、接続の設定時にベースステーションからターミナルへシグナリングすることもできる。電力制御は、ターミナルにより送信される測定レポートに基づいてベースステーションにおいて続けられる。１つの実施形態では、測定レポートは、先行フレームの全タイムスロットの信号対干渉比の測定結果を含む。
【００１２】
本発明は、無線ネットワークにおいて干渉を減少する上で著しい効果を発揮する。というのは、各タイムスロットの送信電力が別々に設定され、全タイムスロットに対する送信を同じ電力レベルで行う必要がないからである。
【００１３】
【発明を実施するための最良の形態】
以下、添付図面を参照して、本発明の好ましい実施形態を詳細に説明する。
【００１４】
以下、図１ないし５を参照して本発明の好ましい実施形態を詳細に説明する。この説明は、コード分割多重アクセス方法を使用して直接シーケンス技術で実施されるワイドバンドＵＭＴＳシステムをベースとするが、本発明は、これに限定されるものではない。又、本発明は、例えば、時分割及びコード分割多重アクセス方法（ＴＤＭＡ／ＣＤＭＡ）の組合せを使用した他の無線システムにも使用できるのが好ましい。本発明の説明は、ＵＭＴＳの地上無線ネットワークＵＴＲＡＮのＴＤＤモードをベースとし、この場合に、オペレーションは、１つの周波数帯域で行われ、そしてアップリンク及びダウンリンクは、同じ無線周波数を使用するが、上記周波数帯域において異なるタイムスロットを使用する。又、本発明は、ＦＤＤを使用するシステムにも使用でき、この場合には、アップリンク及びダウンリンクに対して異なる周波数範囲が定義される。以下の説明では、ベースステーションという語は、１つ以上のベースステーション及び／又は１つ以上のベースステーションコントローラにより形成されるエンティティを指す。
【００１５】
図１は、移動システムの概略図であり、即ちベースステーション１００Ａないし１００Ｄを備えたセルラー無線システムの概略図である。ベースステーションのカバレージエリアは、セルと称され、ベースステーション１００Ａないし１００Ｄに対応して図中Ｃ１ないしＣ４で示されている。これらのセルは、重畳してもよく、例えば、図中、セルＣ２は、セルＣ１及びＣ３に部分的に重畳している。各セルＣ１ないしＣ４のエリアには１つ以上の受信器１０２Ａないし１０２Ｆが図示されており、これら受信器は、例えば、移動ステーションであるが、無線受信器及び／又は送信特性並びにＴＥ／ＴＵ機能が設けられた他の装置であってもよい。コード分割多重アクセス方法（ＣＤＭＡ）を使用する無線ネットワーク、例えば、移動ネットワークでは、全てのユーザが同じ周波数帯域を同時に使用する。ユーザは、ユーザにより送信される情報に乗算される拡散コードに基づいて互いに区別される。この場合、スピーチを含むビット流のような情報は、広い周波数帯域に拡散される。使用する拡散コードのビットレートは、送信されるべきデータ流のビットレート、例えば、４、８又は１６よりも相当に高い。その目的は、ユーザに対して直交する拡散コードを選択し、それらが相関しないようにすることである。実際に、拡散コードは、完全に直交せず、従って、ユーザは、互いに他の送信と干渉する。例えば、同じセル又は隣接セルに位置していて同じタイムスロットで通信するユーザには干渉が生じる。又、隣接タイムスロットで通信するユーザの送信も干渉することがある。図１において、セルＣ４における受信器１０２Ｄないし１０２Ｆは、互いに干渉すると共に、他のセルＣ１ないしＣ３のエリアに位置するターミナル１０２Ａないし１０２Ｃからの干渉も経験する。又、各ターミナルによって送信されて多数の異なる経路に沿って受信器へと伝播する信号によりターミナル１０２Ａないし１０２Ｆ間に付加的な干渉が生じる。この多経路伝播により、ユーザ信号は、多数の異なる状態で遅延された信号成分として受信器に到達し、従って、他のユーザに対して干渉を引き起こす。
【００１６】
図１は、セルＣ１においてターミナル１０２Ａとベースステーション１００Ａとの間に両方向無線チャンネル１０４Ａないし１０６Ａを示している。ターミナル１０２Ａからベースステーション１００Ａへの送信は、アップリンク１０４Ａと称され、そしてベースステーション１００Ａからターミナル１０２Ａへの送信は、ダウンリンク１０６Ａと称される。ＵＭＴＳのＴＤＤモードでは、ターミナル１０２Ａないし１０２Ｆ、及びベースステーション１００Ａないし１００Ｄの無線送信の電力が、ダウンリンクでは閉ループを使用して、そしてアップリンクでは開ループを使用して調整される。ダウンリンクの閉ループ電力制御は、ターミナル１０２Ａが電力制御コマンドをベースステーションに送信し、それに基づいて、ベースステーション１００Ａがターミナル１０２Ａへのその送信を適応させることを意味する。一方、アップリンク開ループ電力制御は、ターミナル１０２Ａが、ベースステーション１００Ａから受信した送信の送信電力を測定し、受信電力を使用して伝播ロスを推定し、そしてそれに基づいて、アップリンク送信電力を最適値へと調整することを意味する。
【００１７】
図２は、本発明の方法の実施形態を示す。最初の方法ステップにおいて、ターミナルがベースステーションのカバレージエリア内にあって、データ転送接続を要求するか、或いは又ベースステーションがターミナルからの接続設定を要求する。ステップ２０２では、設定されるべき接続は、少なくとも２つのダウンリンクデータ転送リソースが割り当てられるというものである。例えば、ＵＭＴＳのＴＤＤモードでは、これは、ベースステーションから送信されるべきダウンリンクデータ転送フレーム、即ち少なくとも２つの時分割式に拡散されたデータ転送リソースが、ターミナルに対して予約されることを意味する。拡散コードは、フレームの異なるタイムスロットに割り当てられるのが好ましいが、同じタイムスロットにあってもよい。異なるクオリティ特性を要求するサービスは、割り当てられるべきリソースにおいて転送されるので、異なるリソースについて設定されるクオリティ基準は、互いに異なることがある。サービスは、例えば、同様のクオリティ特性を要求するサービスをタイムスロットにおいて転送することによりタイムスロットに割り当てることができる。これは、クオリティ基準を好ましくはタイムスロットに対して設定できるようにし、例えば、タイムスロットの所望の送信電力Ｐwを、そのタイムスロットにおいて他のユーザに割り当てられる電力Ｐiの少なくとも５％とすることができる。方法ステップ２０４では、ベースステーションは、そのカバレージエリア内のターミナルに、図３に詳細に示す構造をもつデータ転送フレームを送信する。方法ステップ２０６では、ベースステーションは、電力調整コマンド、及び／又はターミナルからの接続のクオリティに関する測定レポートを受信する。上記電力調整コマンドは、例えば、トラフィックチャンネルのアップリンクタイムスロットに関連して電力調整コマンドを受け取ることによりベースステーションにおいて別々に受信され、一方、測定レポートは、制御チャンネルに送信されるのが好ましい。電力調整コマンドは、ベースステーション及びターミナルの両方に知られた所与のタイムスロットをベースとするのが好ましい。好ましい実施形態では、ターミナルにより送信される電力調整コマンドが関連するタイムスロットは、送信電力がターミナルに割り当てられるフレームにおける最後のタイムスロットである。更に、１つの実施形態では、ベースステーションは、閉ループ電力制御において電力調整コマンドを送信すべきタイムスロットについてターミナルへ指示を送信する。無線リンクに関する測定レポートでは、ターミナルは、例えば、フレームの全タイムスロットで経験される信号対雑音比を送信する。
【００１８】
図２の方法ステップ２０８において、次に送信されるべきフレームのトラフィックがベースステーションにおいて推定される。所与のターミナルに関して、これは、例えば、各タイムスロットにおいて、電力比Ｐw／Ｐiが、そのタイムスロットに対してプリセットされたベースステーションスレッシュホールド値を越えることを意味する。例えば、タイムスロットにおいて送信されるべきサービスは、そのタイムスロットのベースステーションスレッシュホールド値に影響する。方法ステップ２１０では、電力調整コマンドにより形成された電力変更要求と、方法ステップ２０８において実行されたトラフィックの推定とが結合される。電力調整要求は、多数のやり方で結合することができ、本発明は、１つの結合方法に限定されるものではない。例えば、推定により生じる電力調整要求が最初に形成され、そしてターミナルにより送信された電力調整コマンドがそれらに加算されるか又はそれらから減算される。第２の好ましい実施形態では、ターミナルにより送信された電力調整コマンドが主として考慮され、そして推定により生じた電力調整要求が必要に応じて処理される。しかしながら、本発明に関する限り、フレーム当たり１つの電力制御コマンドをベースステーションにおいて受信するのが重要である。受信された電力制御コマンドは、次に送信されるべきフレームのタイムスロットであってリソースがターミナルに割り当てられるところの全タイムスロットをカバーするように拡張される。例えば、ベースステーションに受信される電力制御コマンド＋１ｄＢは、タイムスロット５に関連するが、＋１ｄＢ電力制御は、ターミナルに対して送信電力が予約される全タイムスロット、例えば、３、４及び５において実行される。この電力制御は、図４を参照して詳細に説明する。実際の電力制御は、ステップ２０４へ戻ることにより次のフレームが送信される前に、方法ステップ２１２において実行される。
【００１９】
デジタル無線システムでは、ターミナルとベースステーションとの間の無線インターフェイスが論理的無線チャンネルで実施され、これは、物理的無線チャンネルにより物理的に実施される。論理的チャンネルは、専用の共通チャンネルに分割することができ、それら専用チャンネルは、特に、所与のターミナルとベースステーションとの間の通信に予約される。専用チャンネルの一例は、専用トラフィックチャンネルＤＣＨ（専用チャンネル）である。共通チャンネルは、例えば、ベースステーションから多数のターミナルへ同時に情報を転送するのに使用される。共通チャンネルは、例えば、セルに関する情報をターミナルへダウンリンク転送するのに使用されるＢＣＣＨ（ブロードキャストチャンネル）と、システムがターミナルの位置を知らないときにターミナルから位置データを要求するのに使用されるＰＣＣＨ（ページングチャンネル）と、例えば、接続の設定に関する制御情報をアップリンク転送するのにターミナルが使用できるＲＡＣＨ（ランダムアクセスチャンネル）とを含む。
【００２０】
論理的チャンネルは、物理的チャンネルで実施され、ＴＤＭＡベースのシステムにおけるその実施は、タイムスロットと、タイムスロットにおいて送信されるべきバーストである。物理的チャンネルに使用されるフレーム及びバースト構造は、送信が行われる物理的チャンネルに基づいて異なる。ＵＭＴＳのＴＤＤモードＤＰＣＨ（ダウンリンク専用物理チャンネル）の物理的チャンネルのフレーム構造は、図３を参照して、一例として説明する。フレーム３００の送信時間巾は１０ミリ秒であり、これは、１５個のタイムスロット３０２Ａないし３０２Ｄに分割され、各タイムスロット、例えば、３０２Ｃは、０．６６６ミリ秒の時間巾を有する。各タイムスロット３０２Ａないし３０２Ｄは、拡散コードにより互いに区別される多数の異なるユーザに同時に割り当てることができる。フレームの各タイムスロット３０２Ａないし３０２Ｄは、それらタイムスロット３０２Ａないし３０２Ｄにおいて双頭矢印で示されたアップリンク又はダウンリンクのいずれかの送信に対して割り当てることができる。しかしながら、各フレームにおいて、好ましくは、少なくとも１つのタイムスロットがアップリンクに割り当てられ、そして１つがダウンリンク送信方向に割り当てられる。タイムスロット３０２Ａないし３０２Ｄにおいて送信されるべきデータパケットは、バーストと称され、使用する拡散コードの２５６０個のチップ即ち単位を含む。１つのタイムスロットにおけるバーストは、拡散コードに基づいて異なるユーザにアドレスできるが、全部を同じユーザにアドレスすることもできる。異なるユーザに属する８個のバーストを１つのアップリンクタイムスロットに配置することができる。９個又は１０個のバーストを１つのダウンリンクタイムスロットに配置することができる。図３に基づくＤＰＣＨバーストでは、チップ０ないし１１０３は、第１のデータ区画３０４Ａを含み、チップ１１０４ないし１３５９は、ミッドアンブル３０６を含み、チップ１３６０ないし２４６３は、第２のデータ区画３０４Ｂを含み、そしてバーストの終りには、９６チップ長さの保護周期３０８がある。ＴＰＣは、それが接続に使用される場合には、ミッドアンブル３０６及び第２データ区画３０４Ｂの中間に入れられる。ここに述べる内容を含むバーストは、例えば、ダウンリンクチャンネルに使用できる。アップリンクチャンネルに使用されるバーストの中間部は、通常、長いものであって、異なるユーザからベースステーションへ到来するバーストの分類を容易にしそして無線経路に生じる干渉を識別する。
【００２１】
図４は、本発明の方法を実施する際の効率を示す。図中の最も上は、フレーム３００であり、これは、ベースステーション１００Ａから、それと通信するターミナル、例えば、ターミナル１０２Ａへ送信される。フレーム３００Ａは、１６個のタイムスロットより成り、そのうちのタイムスロット１ないし１３は、ダウンリンクに対して予約され、そしてデュープレックス限界４００より上のタイムスロット１４ないし１６は、アップリンクに対して予約される。送信電力は、タイムスロット３、６及び１２からターミナル１０２Ａに割り当てられる。例えば、異なるサービスが上記タイムスロットにおいて送信され、従って、タイムスロットの信号対干渉比ＳＩＲについて設定されるターゲット値は、互いに異なる。ＳＩＲを測定する際に、ターミナルは、ターミナルに向けられる送信の信号電力を、干渉信号の電力即ち他のユーザに向けられる送信の電力に対して測定する。スピーチ、ビデオ映像等の同じサービスをタイムスロットにおいてターミナルにアドレスすることができ、しかも、タイムスロットのＳＩＲターゲット値が互いに異なってもよいことが明らかである。本発明の好ましい実施形態では、ベースステーションとターミナルは、制御チャンネルを経て、ＳＩＲターゲット値と、そのターゲット値に関連したタイムスロットとを通信する。測定は、ベースステーション１００Ａから個別の通知なしに行うこともでき、例えば、それは、常に、ターミナルに送信電力が割り当てられる最後のタイムスロットでよい。これは、例えば、図４では、ターミナル１０２Ａがタイムスロット１３を測定する状態である。図４の例では、タイムスロット１３を測定する間に、ターミナル１０２Ａは、ＳＩＲターゲットが３ｄＢであるが、信号電力と干渉電力の比が２ｄＢしかないことに気付く。この場合に、ターミナル１０２Ａは、フレーム３００Ｂに属する次のアップリンクタイムスロット１５においてタイムスロットの送信電力を＋１ｄＢだけ増加する要求を送信する。ＵＭＴＳのＴＤＤモードでは、ターミナルは、ＴＰＣ指示子（送信電力制御）において電力調整コマンドを送信する。ベースステーション１００Ａは、フレーム３００Ｂに属するタイムスロット１５を受け取り、そしてターミナルに送信されるべき送信電力を、次のフレーム３００Ｃにおいて、ターミナルに送信されるべき全タイムスロット３、６及び１３に＋１ｄＢだけ調整する。従って、本発明の考え方の実施形態によれば、ベースステーション１００Ａは、１つのタイムスロットの測定に基づくＴＰＣ値をベースとしてターミナル１０２Ａの全タイムスロットに送信電力を調整する。この場合に、あるタイムスロットにおいてターミナルが経験するＳＩＲが変化する場合には、悪化するＳＩＲの顕著な理由が、ベースステーションに対するターミナルの位置の変化であり、従って、ターミナルは、おそらく、他のタイムスロットでもＳＩＲの同様の悪化を経験することになろう。
【００２２】
本発明の好ましい実施形態では、ターミナルは、接続クオリティに関する測定レポートをベースステーションに送信する。測定レポートは、例えば、送信電力がユーザに割り当てられる報告ＳＩＲのタイムスロットにおいて、各フレームに一度送信される。更に、フレームにおける各タイムスロットの干渉レベルは、測定レポートにおいて報告することができる。好ましい実施形態では、ベースステーションは、測定レポートを使用して、後続フレームの電力を調整する。例えば、図４を参照し、ターミナル１０２Ａがタイムスロット３、６及び１３における唯一のユーザであり、そして干渉レベル９０ｄＢｍ、−１２０ｄＢｍ、−１２０ｄＢｍを各々含む測定レポートをベースステーションへ送信すると仮定する。この場合には、ベースステーションは、タイムスロット３の電力レベルを、電力比推定値及び電力制御コマンドの指示よりも増加するのが好ましい。
【００２３】
又、本発明の実施形態では、ベースステーション１００Ａは、送信電力と干渉電力との関係を推定トラフィックに基づいて推定する。実際に、これは、フレーム３００Ａを送信すると、ベースステーション１００Ａは、次のフレーム３００Ｃにおいて送信されるべきトラフィックの記録を保持し始める。図４の例では、ベースステーション１００Ａは、タイムスロット６において、ターミナル１０２Ａに向けられた送信の電力Ｐwが、ターミナル１０２Ａ以外のターミナルに対して予想即ちスケジュールされるトラフィックを指す干渉電力Ｐiに関して低下し過ぎたことに気付く。ベースステーション１００Ａは、例えば、ターミナル１０２Ａから＋１ｄＢだけ送信電力を増加するコマンドを既に受け取っているので、電力比Ｐw／Ｐiを所望のレベルに上昇するのに＋１ｄＢ大きな送信電力で充分である。本発明の好ましい実施形態では、ベースステーションは、最初に、この比Ｐw／Ｐiを正しいレベル、例えば、プリセットスレッシュホールド値のレベルに等しくする。スレッシュホールド値は、例えば、電力比が０．１０であることを決定してもよい。ユーザにより発生されるＴＰＣコマンドは、電力比が計算されるまで考慮されない。
【００２４】
以下、本発明は、１つの実施形態によるＣＤＭＡ送信器及び受信器のブロック図である図５を参照して説明する。送信器は、ブロック５００ないし５１０で示され、そして受信器は、ブロック５３０ないし５４０で示されている。送信器５００ないし５１０と受信器５３０ないし５４０との間の無線接続は、両方向性であるから、実際には、移動ネットワークのベースステーション及びターミナルの両方が送信器及び受信器として働く。明瞭化のために、図５は、ベースステーションが送信器として働きそして移動ステーションのようなターミナルが受信器として働く状態、即ちダウンリンク送信だけを示す。データブロック５００は、送信器においてユーザスピーチ又はデータを発生するのに必要なベースステーションのハードウェア部分を示す。ブロック５０２では、記号より成る情報に対し、例えば、チャンネルコード化及びインターリーブが適応される。チャンネルコード化及びインターリーブは、全ての情報ビットが受信されるのではないが受信器において送信情報を回復できるよう確保するために使用される。ブロック５０４は、送信されるべき情報に対して行われる拡散コードによる乗算及びワイドバンドへの拡散を示す。デジタルからアナログ形態への変換は、ブロック５０６において行われる。アナログへ変換する前に、信号は、電力制御を受ける。電力制御は、例えば、ユーザ信号を送信するのに使用される送信電力が高いほど、無線経路１０４Ａへ送信されるべき合成信号を形成する前にユーザ信号のチップに乗算する係数が高くなるようにして実行される。ユニット５０６では、ユーザ信号及び干渉信号の電力レベルが互いにそしてスレッシュホールド値と比較され、そしてスレッシュホールド値の比較によって指示されるときには、ユーザ信号の電力レベルが、スレッシュホールド値を満足するように調整される。高周波部分５０８の後に、合成信号は、アンテナ部分５１０により変換され、ダウンリンク無線経路１０４Ａへ送信される。
【００２５】
図５は、ワイドバンド信号を受信するためのアンテナ部分５３０を含むＣＤＭＡ受信器５３０ないし５４０も示す。アンテナ５３０から、信号は、高周波部分５３２へ転送され、そこから、信号は、Ａ／Ｄコンバータ５３４へ転送されて、アナログからデジタル形態に変換される。受信ブロック５３６では、受信したＣＤＭＡ信号からユーザ信号を分離する試みがなされる。分離は、例えば、ユーザ信号から記号推定をコンポーズすることにより行われ、そして記号推定は、情報に１つ以上の干渉打消し段階を受けさせることにより改善できる。好ましい実施形態では、例えば、ＲＡＫＥ型の受信器における受信ブロック５３６は、多経路伝播成分の遅延を推定しそしてそれらの最も強いものをＲＡＫＥ岐路に割り当てるための遅延推定器を備えている。受信ブロック５３６では、ユーザ信号が再生され、そして受信した合成信号から差し引くことのできる干渉信号へと合成される。ここでは、信号対干渉比は、ユニット５３４において、ユーザ信号の電力レベルを干渉信号の電力レベルと比較することによっても推定される。最終的な記号推定が信号から発生されると、それがブロック５３８へ向けられ、デインターリーブ及びチャンネルコードの除去が行われる。次いで、ユーザデータは、受信器においてデータ処理ルーチン５４０へと向けられ、これは、例えば、移動ステーションの場合には、ユーザにスピーチを与えるハンドセットを意味する。又、送信器及び受信器は、図５を参照して上述したもの以外の部分も含むが、それらの説明は、本発明の説明とは関わりないものである。
【００２６】
本発明は、ソフトウェアを使用して無線システムのネットワーク部分で実施されるのが好ましく、従って、例えばベースステーション１００Ａないし１００Ｄは、マイクロプロセッサを備え、上述した方法の機能がソフトウェアとして実施される。又、当業者に明らかなように、ネットワーク部分は、非一体化システムを指すこともでき、従って、上記方法ステップは、１つ以上のベースステーション及び／又はベースステーションコントローラにおいて実施することもできる。又、本発明は、例えば、ＡＳＩＣ（アプリケーション特有の集積回路）のような必要な機能を与えるハードウェア解決策を使用するか又は個別論理部品を使用して実施することもできる。
【００２７】
本発明は、添付図面に示す例を参照して詳細に説明したが、それに限定されるものではなく、特許請求の範囲に記載した本発明の考え方の範囲内で種々の変更がなされ得ることが明らかであろう。
【図面の簡単な説明】
【図１】  移動ネットワークを示す図である。
【図２】  本発明の方法の実施形態を示す方法図である。
【図３】  データ転送フレームの構造図である。
【図４】  本発明の方法の実施形態を示す図である。
【図５】  本発明の実施形態によるベースステーションを示す図である。
【図１】
0003795400.tif 000002
【図２】
0003795400.tif 000003
【図３】
0003795400.tif 000004
【図４】
0003795400.tif 000005
【図５】
0003795400.tif 000006